(57)【要約】【課題】簡易な構造で、光の進行方向を複数の方向に変更できる照射装置を提供する。【解決手段】身体におけるコラーゲンの生成を促進させる波長の光を照射する照射装置１は、基板１０に所定間隔で配置されており、それぞれ光を発光する複数の光源部２０と、光源部２０から見て光の進行方向側に固定して配置されており、複数の光源部２０から発光された光の進行方向を複数の異なる方向に変更させる進行方向変更部３０とを備える。【選択図】図２
2019213574.tif 000002
【特許請求の範囲】
【請求項１】
身体におけるコラーゲンの生成を促進させる波長の光を照射する照射装置であって、
基板に所定間隔で配置されており、それぞれ前記光を発光する複数の光源部と、
前記光源部から見て前記光の進行方向側に固定して配置されており、前記複数の光源部から発光された前記光の進行方向を複数の異なる方向に変更させる進行方向変更部と、
を備える、照射装置。
【請求項２】
前記複数の光源部は、前記基板の主面に格子状に点在するように配置されている、
請求項１に記載の照射装置。
【請求項３】
前記進行方向変更部は、矩形の前記基板の主面に離間して対向するように、第１方向に所定間隔で列状に複数配置された第１進行方向変更部を含む、
請求項１又は２に記載の照射装置。
【請求項４】
前記進行方向変更部は、前記第１進行方向変更部と直交するように前記第１方向と直交する第２方向に所定間隔で列状に複数配置された第２進行方向変更部を含む、
請求項３に記載の照射装置。
【請求項５】
前記進行方向変更部は、
隣接する２つの光源部に対向しており、
前記２つの光源部から発光された光の進行方向を、それぞれ異なる方向に変更させる、
請求項１から４のいずれか１項に記載の照射装置。
【請求項６】
前記進行方向変更部は、透明体であるプリズムであり、
前記プリズムは、矩形の前記基板の対向する２つの側面の間を一直線に配置されている、
請求項１から５のいずれか１項に記載の照射装置。
【請求項７】
前記複数の光源部の中から光を発光させる光源部を順次切り替える発光制御部を更に備える、
請求項１から６のいずれか１項に記載の照射装置。
【請求項８】
前記発光制御部は、前記複数の光源部から発光された複数の光が集中するように、光源部を順次切り替える、
請求項７に記載の照射装置。
【請求項９】
前記基板は、フレキシブル基板であり、
前記照射装置は、平板状に形成されており、全体として撓み可能である、
請求項１から８のいずれか１項に記載の照射装置。
【請求項１０】
前記照射装置は、洗髪台の前記身体の頭部が位置する凹部の内側面に着脱可能に装着される、
請求項１から９のいずれか１項に記載の照射装置。
【発明の詳細な説明】
【技術分野】
【０００１】
本発明は、身体におけるコラーゲンの生成を促進させる波長の光を照射する照射装置に関する。
【背景技術】
【０００２】
近年、人の身体におけるコラーゲンの生成を促進させるために、身体に光を照射する照射装置が提案されている。例えば、下記の特許文献１には、毛髪等の治療用の治療機器が開示されており、当該治療機器は、紫外線及び可視光線を照射することでコラーゲンの生成を誘導している。
【先行技術文献】
【特許文献】
【０００３】
【特許文献１】特表２０１４−５０２８９６号公報
【発明の概要】
【発明が解決しようとする課題】
【０００４】
特許文献１においては、光を発光する光源が、ユーザが手で握る治療機器の先端部に設けられているに過ぎないため、光が照射できる範囲は狭く、例えば人の頭部の全体に光を照射することが困難である。また、上記の治療機器では、光の進行方向が固定されており、光の進行方向を変更するためには複雑な機構を設ける必要がある。
【０００５】
そこで、本発明はこれらの点に鑑みてなされたものであり、簡素な構造で、光の進行方向を複数の方向に変更できる照射装置を提供することを目的とする。
【課題を解決するための手段】
【０００６】
本発明の一の態様においては、身体におけるコラーゲンの生成を促進させる波長の光を照射する照射装置であって、基板に所定間隔で配置されており、それぞれ前記光を発光する複数の光源部と、前記光源部から見て前記光の進行方向側に固定して配置されており、前記複数の光源部から発光された前記光の進行方向を複数の異なる方向に変更させる進行方向変更部と、を備える、照射装置を提供する。
【０００７】
また、前記複数の光源部は、前記基板の主面に格子状に点在するように配置されていることとしてもよい。
【０００８】
また、前記進行方向変更部は、矩形の前記基板の主面に離間して対向するように、第１方向に所定間隔で列状に複数配置された第１進行方向変更部を含むこととしてもよい。
【０００９】
また、前記進行方向変更部は、前記第１進行方向変更部と直交するように前記第１方向と直交する第２方向に所定間隔で列状に複数配置された第２進行方向変更部を含むこととしてもよい。
【００１０】
また、前記進行方向変更部は、隣接する２つの光源部に対向しており、前記２つの光源部から発光された光の進行方向を、それぞれ異なる方向に変更させることとしてもよい。
【００１１】
また、前記進行方向変更部は、透明体であるプリズムであり、前記プリズムは、矩形の前記基板の対向する２つの側面の間を一直線状に配置されていることとしてもよい。
【００１２】
また、前記照射装置は、前記複数の光源部の中から光を発光させる光源部を順次切り替える発光制御部を更に備えることとしてもよい。
【００１３】
また、前記発光制御部は、前記複数の光源部から発光された複数の光が集中するように、光源部を順次切り替えることとしてもよい。
【００１４】
また、前記基板は、フレキシブル基板であり、前記照射装置は、平板状に形成されており、全体として撓み可能であることとしてもよい。
【００１５】
また、前記照射装置は、洗髪台の前記身体の頭部が位置する凹部の内側面に着脱可能に装着されることとしてもよい。
【発明の効果】
【００１６】
本発明によれば、簡素な構造で、光の進行方向を複数の方向に変更できるという効果を奏する。
【図面の簡単な説明】
【００１７】
【図１】本発明の一の実施形態に係る照射装置１の構成の一例を説明するための模式図である。
【図２】照射装置１の内部構成の一例を説明するための模式図である。
【図３】基板１０に配置された複数の光源部２０の配置状態の一例を説明するための模式図である。
【図４】Ｘ方向で隣接する２つの光源部２０から発光された光の進行方向を説明するための模式図である。
【図５】光の４つの進行方向を説明するための模式図である。
【図６】進行方向変更部３０の配置例を説明するための模式図である。
【図７】照射装置１の湾曲状態を説明するための模式図である。
【図８】照射装置１の内部構成の変形例を説明するための模式図である。
【図９】照射装置１の使用形態の一例を説明するための模式図である。
【図１０】照射装置１が洗髪台９０に取り付けられている状態を説明するための模式図である。
【発明を実施するための形態】
【００１８】
＜照射装置の構成＞
本発明の一の実施形態に係る照射装置の構成について、図１〜図３を参照しながら説明する。
【００１９】
図１は、一の実施形態に係る照射装置１の構成の一例を説明するための模式図である。図２は、照射装置１の内部構成の一例を説明するための模式図である。図３は、基板１０に配置された複数の光源部２０の配置状態の一例を説明するための模式図である。なお、図１では、説明の便宜上、照射装置１の内部に配置されている進行方向変更部３０を破線で示している。
【００２０】
照射装置１は、たんぱく質の一つであるコラーゲンの生成を促進させる波長の光を照射する。例えば、照射装置１が人の身体に照射することで、身体におけるコラーゲンの生成を促進させる。コラーゲンは、例えば身体の細胞を結び付けて支える機能を有する。照射装置１は、図１に示すように平板状に形成されている。照射装置１は、図２に示すように、基板１０と、光源部２０と、進行方向変更部３０と、カバー部４０と、分離部５０とを有する。照射装置１は、カバー部４０を介して前方へ向かって発光する。
【００２１】
基板１０は、照射装置１の底面部となっている。基板１０は、図３に示すように、矩形平板状に形成されている。基板１０は、フレキシブル基板であり、可撓性を有する。基板１０には、光源部２０を含む様々な電子部品が実装されうる。例えば、基板１０には、光源部２０の発光を制御する発光制御部１５（図３）が設けられている。発光制御部１５の詳細については、後述する。
【００２２】
光源部２０は、例えばＬＥＤ光源であり、コラーゲンの生成を促進させる所定の波長の光を発する。光源部２０が発する光の波長は、コラーゲンの生成を促進させる観点から、ここでは６００（ｎｍ）〜６５０（ｎｍ）の範囲が望ましい。より望ましくは、光の波長は６３３（ｎｍ）であり、この場合にはコラーゲンの生成が一層促進される。
【００２３】
光源部２０は、基板１０上に所定間隔で複数配置されている。ここでは、複数の光源部２０は、図３に示すように、基板１０の主面１０ａに格子状に点在するように配置されている。すなわち、光源部２０は、基板１０の主面１０ａのほぼ全ての領域に所定間隔で配置されている。これにより、広範囲に光を照射することができるので、効率的にコラーゲンの生成を促進できる。なお、上記では、複数の光源部２０が主面１０ａに格子状に配置されていることとしたが、これに限定されない。複数の光源部２０は、主面１０ａに千鳥状に配置されていてもよい。
【００２４】
進行方向変更部３０は、照射装置１の前面３（図３）側に配置されており、光源部２０が配置された基板１０に離間して対向している。進行方向変更部３０は、複数の光源部２０から発光された光の進行方向を複数の異なる方向に変更させる。例えば、進行方向変更部３０は、複数の光源部２０から発光された光を、異なる複数の方向へ屈折又は反射させることで、光の進行方向を変更させている。
【００２５】
進行方向変更部３０は、図２に示すように、光源部２０から見て光の進行方向側に固定して配置されている。すなわち、進行方向変更部３０は、可動することなく、光の進行方向を複数の異なる方向に変更させている。このように可動させる機構を有しないため、照射装置１を薄型化することが可能となる。
【００２６】
進行方向変更部３０は、図２に示すように、Ｘ方向（第１方向に該当する）において所定間隔で列状に複数配置されている。複数の進行方向変更部３０は、図１に示すように、それぞれＹ方向に沿って（ここではＹ方向と平行に）配置されている。具体的には、進行方向変更部３０は、図１に示すように、矩形の照射装置１の対向する２つの側面の間を一直線に配置されている。
【００２７】
進行方向変更部３０は、ここでは図２に示すように、光の方向を変えるプリズムである。プリズムは、ガラス等の透明体であり、三角柱の形状（断面形状は、図２に示すように正三角形）を成している。プリズムは、光源部２０から発光された光を屈折させて、光の進行方向を変更させる。このようにプリズムを用いることで、簡易な構造で進行方向変更部３０を構成できる。
【００２８】
図２に示すように、進行方向変更部３０は、Ｘ方向において隣接する２つの光源部２０に対向している。そして、進行方向変更部３０は、対向する２つの光源部２０から発光された光を異なる方向に変更させる。
【００２９】
図４は、Ｘ方向で隣接する２つの光源部２０から発光された光の進行方向を説明するための模式図である。図４（ａ）には奇数番目の光源部２０から発光された光の進行方向が示されており、図４（ｂ）には偶数番目の光源部２０から発光された光の進行方向が示されている。ここでは、図４で左端に配置された進行方向変更部３０−１に対向する２つの光源部２０−１ａ、２０−１ｂを例に挙げて説明する。光源部２０−１ａから発光された光と、光源部２０−１ｂから発光された光は、進行方向変更部３０−１によって屈折され、それぞれ異なる方向へ進行する。
【００３０】
図４では、光源部２０から発光された光が、進行方向変更部３０によって２つの方向に進行する例を説明したが、これに限定されない。例えば、図５に示すように、光源部２０から発光された光が、進行方向変更部３０によって４つの方向（上下左右の方向）に進行してもよい。
【００３１】
図５は、光の４つの進行方向を説明するための模式図である。ここでは、４つの進行方向に進行する光を発する光源部２０を、便宜上、第１光源部、第２光源部、第３光源、第４光源部と呼ぶ。すなわち、複数の光源部２０が、４つの光源部に分けられる。そして、第１光源部から照射された光は、進行方向変更部３０で屈折して方向Ｄ１（上方向）に進み、第２光源部から照射された光は、進行方向変更部３０で屈折して方向Ｄ２（下方向）に進む。また、第３光源部から照射された光は、進行方向変更部３０で屈折して方向Ｄ３（左方向）に進み、第４光源部から照射された光は、進行方向変更部３０で屈折して方向Ｄ４（右方向）に進む。
【００３２】
光源部２０が発した光を４つの方向に進行させるために、進行方向変更部３０を例えば図６に示すように配置してもよい。
図６は、進行方向変更部３０の配置例を説明するための模式図である。図６では、説明の便宜上、黒塗りの部分を進行方向変更部３０として示している。進行方向変更部３０は、図６に示すように、Ｘ方向に所定間隔で列状に配置された第１進行方向変更部３０ａと、Ｙ方向に所定間隔で列状に配置された第２進行方向変更部３０ｂとで構成されている。第１進行方向変更部３０ａと第２進行方向変更部３０ｂは、互いに直交するように配置されている。この場合、第１進行方向変更部３０ａが光を左方向又は右方向へ進ませ、第２進行方向変更部３０ｂが光を上方向又は下方向へ進ませる。これにより、四方に光を進行させることが可能となる。
【００３３】
なお、上記では、進行方向変更部３０が４つの方向Ｄ１〜Ｄ４（図５）に光を進行させることとしたが、これに限定されない。例えば、進行方向変更部３０は、３つの方向に光を進行させてもよい。
【００３４】
図２に示すように、複数の進行方向変更部３０の上方には、カバー部４０が設けられている。カバー部４０は、平板状に形成されており、複数の進行方向変更部３０を覆うように配置されている。
進行方向変更部３０と基板１０の間には、図２に示すように、平板状の分離部５０が設けられている。分離部５０と基板１０の間には、空隙が形成されている。なお、進行方向変更部３０、カバー部４０及び分離部５０は、例えば樹脂で一体成形されてもよい。
【００３５】
ところで、基板１０には、前述したように複数の光源部２０の発光を制御する発光制御部１５（図３）が設けられている。本実施形態では、発光制御部１５は、複数の光源部２０の中から発光させる光源部２０を順次切り替える。すなわち、発光制御部１５は、複数の光源部２０の全ての光源部２０を同時に発光させるのではなく、一部の光源部２０毎に切り替えながら発光させる。例えば、発光制御部１５は、図３に示す複数の光源部２０を、Ｘ方向の一端側から他端側へ向かって、列毎に切り替えながら発光させてもよい。
【００３６】
発光制御部１５は、図５に示すように４つの方向に光を進行させる場合には、複数の光源部２０を４つのグループに分けて、それぞれ異なる発光タイミングで発光させてもよい。一例として、発光制御部１５は、第１発光タイミングで第１光源部のみを発光させ、その後の第２発光タイミングで第２光源部のみを発光させ、その後の第３発光タイミングで第３光源部のみを発光させ、その後の第４発光タイミングで第４光源部のみを発光させる。すなわち、発光制御部１５は、発光タイミング毎に異なる進行方向の光を照射させる。
【００３７】
発光制御部１５は、複数の光源部２０から一部の光源部２０をランダムに選択し、選択した光源部２０から光を発光させてもよい。例えば、複数の光源部２０から上述した第１光源部、第２光源部、第３光源部及び第４光源部をランダムに選択して、発光させてもよい。
【００３８】
また、発光制御部１５は、複数の光源部２０から発光された複数の光が集中するように、光源部２０を切り替えてもよい。すなわち、発光制御部１５は、進行方向変更部３０によって集中する方向に進行する光を発する光源部２０を選択して発光させる。これにより、局所の部分に光を集中させることで、当該局所の部分におけるコラーゲンの促進がより有効に奏される。
【００３９】
照射装置１は、図１に示すように平板状の形状を成しているが、変形可能である。例えば、照射装置１は、図７に示すように湾曲可能である。このように照射装置１が変形することで、様々な形状の照射先に光を照射することができる。また、取付け面が湾曲しているような装置に、照射装置１を取り付けることが可能となる。
【００４０】
図７は、照射装置１の湾曲状態を説明するための模式図である。照射装置１は、前述した進行方向変更部３０を有することで、可動部が不要となり、また薄型化できる。そして、光源部２０が配置された基板１０がフレキシブル基板であるため、照射装置１全体を湾曲させることができる。例えば、図７に示すように、照射装置１のカバー部４０側が凹むように、湾曲させることができる。
【００４１】
上記では、進行方向変更部３０であるプリズムが、図２に示すように配置されていることとしたが、これに限定されない。例えば、進行方向変更部３０であるプリズムは、図８に示すように、図２とは上下逆に配置されていてもよい。この場合でも、対向する２つの光源部２０から発光された光を、それぞれ異なる向きに進行させることができる。なお、図８は、照射装置１の内部構成の変形例を説明するための模式図である。
【００４２】
＜照射装置の使用形態＞
上述した構成を有する照射装置１の使用形態について、図９及び図１０を参照しながら説明する。
【００４３】
図９は、照射装置１の使用形態の一例を説明するための模式図である。照射装置１は、図９に示すように、離れて位置する人の頭部Ｈに光を照射する用途で使用されうる。照射装置１は、人の頭部Ｈの形状に沿うように配置されることで、頭部Ｈのほぼ全体に光を照射できる。そして、照射装置１は、前述したように進行方向が異なる複数の光を、頭部Ｈに照射する。また、照射装置１は、発光する光源部２０を順次切り替えながら、頭部Ｈに光を照射する。これにより、頭部Ｈにおけるコラーゲンの生成が促進される。生成されたコラーゲンは、頭部Ｈの頭皮の細胞の働きを促進させる。この結果、例えば髪を太くしたり、髪のツヤを出したりできる。
【００４４】
照射装置１は、人の頭部に光を照射するために、特定の装置に取り付けられる。例えば、照射装置１は、図１０に示すように洗髪台９０に取り付けられ、洗髪台９０で洗髪を行う際に頭部に光を照射する。このように洗髪と光の照射によるコラーゲン生成とを一緒に行うことで、別々に行う場合に比べて作業時間を大幅に短縮できる。
【００４５】
図１０は、照射装置１が洗髪台９０に取り付けられている状態を説明するための模式図である。照射装置１は、例えば美容室に設けられた洗髪台９０の凹部９２の内側面９３に着脱可能に装着されている。照射装置１は、基板１０側に洗髪台９０に装着される装着部を有してもよい。なお、図１０では、一つの照射装置１が洗髪台９０に装着されているが、これに限定されず、複数の照射装置１が洗髪台９０に装着されていてもよい。
【００４６】
凹部９２の内側面９３は、通常湾曲した面となっており、照射装置１は、湾曲した内側面９３に沿うように変形した状態で装着されている。凹部９２の形状は、洗髪台９０の種類によって異なったりするが、上述した照射装置１の場合には変形しやすいため、凹部９２の形状に倣って変形した状態で装着可能である。これにより、洗髪台９０の種類に応じた照射装置１を装着する必要がなくなり、使用者にとっては利便性が高まる。
【００４７】
洗髪台９０に装着された照射装置１は、前述したように、複数の光源部２０の中から発光させる光源部２０を順次切り替えながら発光させる。例えば、照射装置１は、複数の光源部２０の中からランダムに光源部２０を選択して発光させる制御を、光源部２０を切り替えながら行う。このように光源部２０を切り替えながら発光させることで、周囲の人が洗髪台９０を注視することになり、洗髪台９０の利用を促すことが期待できる。
【００４８】
なお、上記では、照射装置１が洗髪台９０に着脱可能に装着されることとしたが、これに限定されず、コラーゲン生成の促進を期待される身体の部位に供される他の装置に装着されてもよい。
【００４９】
また、上記では、照射装置１が矩形状であることとしたが、これに限定されない。例えば、照射装置１は、楕円形状であってもよい。
【００５０】
また、上記では、進行方向変更部３０がプリズムであることとしたが、これに限定されない。進行方向変更部３０は、例えば光を反射させる反射部材であってもよい。また、プリズムの表面に反射材が設けられていてもよい。
【００５１】
また、上記では、照射装置１は、人の頭部（具体的には、髪）に、コラーゲンの生成を促進させる光を照射させることとしたが、これに限定されない。例えば、照射装置１は、人の体の胴体に、コラーゲンの生成を促進させる光を照射させてもよい。これにより、例えば肌がツルツルになる、ハリが保てる等の美肌効果が高まる。
【００５２】
＜本実施形態における効果＞
上述した照射装置１においては、基板１０の複数の光源部２０から発光された光の進行方向を複数の異なる方向に変更させる進行方向変更部３０は、光源部２０から光の進行方向側に固定して配置されている。
【００５３】
このような構成によれば、照射装置１に可動部を設けなくても、固定配置された進行方向変更部３０によって複数の光源部２０から発光される光の進行方向を複数の方向に変更できる。すなわち、簡素な構造で、光源部２０から発光された光の進行方向を複数の方向に変更できる。特に、基板１０上に配置された複数の光源部２０を切り替えながら発光させることで、発光タイミング毎に異なる進行方向の光を照射させることができる。
【００５４】
さらに、上述した照射装置１は、例えば洗髪台９０に着脱可能に装着されることにより、洗髪をしながら光を照射させることができる。特に、照射装置１が簡素な構造となって薄型化されていることで変形しやすいので、様々な種類の洗髪台９０に取り付けることが可能となる。
【００５５】
以上、本発明を実施の形態を用いて説明したが、本発明の技術的範囲は上記実施の形態に記載の範囲には限定されず、その要旨の範囲内で種々の変形及び変更が可能である。例えば、装置の分散・統合の具体的な実施の形態は、以上の実施の形態に限られず、その全部又は一部について、任意の単位で機能的又は物理的に分散・統合して構成することができる。また、複数の実施の形態の任意の組み合わせによって生じる新たな実施の形態も、本発明の実施の形態に含まれる。組み合わせによって生じる新たな実施の形態の効果は、もとの実施の形態の効果を合わせ持つ。
【符号の説明】
【００５６】
１    照射装置
１０    基板
１０ａ    主面
１５    発光制御部
２０    光源部
３０    進行方向変更部
３０ａ    第１進行方向変更部
３０ｂ    第２進行方向変更部
９０    洗髪台
Ｈ    頭部
【図１】
2019213574.tif 000003
【図２】
2019213574.tif 000004
【図３】
2019213574.tif 000005
【図４】
2019213574.tif 000006
【図５】
2019213574.tif 000007
【図６】
2019213574.tif 000008
【図７】
2019213574.tif 000009
【図８】
2019213574.tif 000010
【図９】
2019213574.tif 000011
【図１０】
2019213574.tif 000012